(57)【要約】【課題】  消火剤を封入する消火器や、酸や溶剤等の貯蔵容器において、内容物の漏れや劣化等の生じない気密性及び密閉性と、内部を加圧できる耐圧性と、長期間の保管に耐える外部容器の耐腐蝕性と、容器の洗浄に代えて容易に交換できる内部容器を備えた、気密容器を実現する。【解決手段】  袋２２にスパウト２１を接合した柔軟な気密性の内部容器２を、タンク４に装入し、スパウト２１をタンク４のスパウト受け土台４１に嵌め込む。内容物を充填した後、スパウト受け土台４１の外部受け面に乗ったスパウト２１の第１リング２１１を、スパウト押さえ３によって上方から押圧し挟みこんでネジで固定することで、気密容器１を密閉する。【選択図】図３
2019218061.tif 000002
【特許請求の範囲】
【請求項１】
スパウトと袋が接合された内部容器であって、
前記スパウトは、柔軟性を有し、
内側に第１開口端を有する第１リングと、
内側に第２開口端を有する第２リングと、
一端が前記第１開口端に接続され、他端が前記第２開口端に接続された筒型の胴体と、
を備え、
前記袋は、気密性を有したフィルムにより形成されて開口部を備え、
前記胴体の他端における内壁と前記開口部が連通するように、前記第２リングが前記袋に接合されている内部容器。
【請求項２】
スパウトと袋が接合された内部容器であって、
前記スパウトは、柔軟性を有し、
内側に第１開口端を有する第１リングと、
一端が前記第１開口端に接続された筒型の胴体と、
を備え、
前記袋は、気密性を有したフィルムにより形成されて、開口部を備え、
前記胴体の他端における内壁が前記開口部と連通するように、前記他端と前記袋が接合されている内部容器。
【請求項３】
前記第１リングの厚さは、前記胴体の厚さ以上であることを特徴とする請求項１または２の内部容器。
【請求項４】
請求項１乃至３のいずれかに記載の内部容器と、
スパウト押さえと、
スパウト受け土台を有した保存容器と、を備え、
前記スパウトの前記胴体は前記スパウト受け土台の内面に沿って配設され、
前記スパウト受け土台と前記スパウト押さえにより前記第１リングを挟んで押圧することを特徴とする気密容器。
【請求項５】
前記スパウト押さえは、加圧部材と押さえ部材からなり、
前記押さえ部材は、前記スパウト受け土台との間に前記第１リングを挟み、
前記加圧部材は前記押さえ部材を前記スパウト受け土台に向けて押圧することを特徴とする請求項４の気密容器。
【発明の詳細な説明】
【技術分野】
【０００１】
本発明は、内袋の簡便な着脱が可能で気密性を確保できる内部容器及び容器蓋部を備えた気密容器に関するものである。
【背景技術】
【０００２】
従来、防蝕や、洗浄時間の節約のため、タンクやドラム缶などの容器の内部に内袋を装入して使用することがあった。その際、内袋に内容物を封入するために、容器の上面を覆う蓋等で内袋のフィルムを挟み込む方法や、樹脂製のキャップのついた内袋を上面の開口した容器に入れる方法がとられていた。しかし、内袋を入れた容器に蓋を被せて蓋の縁で内袋のフィルムを挟むだけでは、容器は気密にならない。そのため、容器内を加圧する消火器等のタンクや、劇物や可燃物等の貯蔵、外気によって劣化しやすい内容物の保管などには用いることができなかった。また、樹脂製のキャップのついた内袋を使用する方法でも、容器の内面が外気に晒されているため内袋との隙間に水分が入るなどして容器が腐蝕する可能性がある。さらに、消火器のような耐圧容器としての使用や、気化しやすい薬品や可燃物の貯蔵については、内袋やキャップが圧力に耐えられない。
【先行技術文献】
【特許文献】
【０００３】
【特許文献１】特開２００５−２９７４９９号公報
【発明の概要】
【発明が解決しようとする課題】
【０００４】
特許文献１には、金属容器内に耐蝕性袋体を装入する方法と、熱変形性の有底の樹脂材を装入してから、高圧ガスを封入して金属容器内に圧着する方法が記載されている。しかし、特許文献１では耐蝕性袋体等の開口部の気密性については考慮されておらず、開口部から金属容器の内側面に内容物が漏れる可能性がある。また、耐蝕性袋体を装入する方法では、耐蝕性袋体が金属容器から剥離する虞がある。これに対して特許文献１では、耐蝕性袋体を接着剤で金属容器内部に固定する方法が記載されている。しかし、耐蝕性袋体を金属容器内部に固定する方法や、樹脂材を装入して金属容器内に圧着する方法では、内袋の交換ができないため再利用の際には必ず洗浄が必要となる。洗浄は、内容物によっては容器内に固着し、困難な場合がある。また、丁寧に洗浄しないと、容器内面の樹脂に傷や劣化が生じ、新たに内容物を充填・保管した際に損傷部分から金属容器の内側面に内容物が漏れる危険がある。
【０００５】
そこで本発明は、気密性の袋にスパウトを接合した内部容器を、外部容器に装入し、容器蓋部でスパウトの上面を押圧し密閉できるようにすることで、耐腐蝕性、気密性、密閉性、耐圧性を有し容易に内容物を入れ替えて再利用できる気密容器の提供を課題とするものである。
【課題を解決するための手段】
【０００６】
本発明は、上記の課題を解決するためのものであり、以下の構成を有する。
【０００７】
（１）本発明は、スパウトと袋が接合された内部容器であって、前記スパウトは、柔軟性を有し、内側に第１開口端を有する第１リングと、内側に第２開口端を有する第２リングと、一端が前記第１開口端に接続され、他端が前記第２開口端に接続された筒型の胴体と、を備え、前記袋は、気密性を有したフィルムにより形成されて開口部を備え、前記胴体の他端における内壁と前記開口部が連通するように、前記第２リングが前記袋に接合されている内部容器である。
【０００８】
（２）また、本発明は、スパウトと袋が接合された内部容器であって、前記スパウトは、柔軟性を有し、内側に第１開口端を有する第１リングと、一端が前記第１開口端に接続された筒型の胴体と、を備え、前記袋は、気密性を有したフィルムにより形成されて、開口部を備え、前記胴体の他端における内壁が前記開口部と連通するように、前記他端と前記袋が接合されている内部容器である。
【０００９】
（３）また、本発明は、前記第１リングの厚さは、前記胴体の厚さ以上であることを特徴とする（１）または（２）の内部容器である。
【００１０】
（４）また、本発明は、（１）乃至（３）のいずれかに記載の内部容器と、スパウト押さえと、スパウト受け土台を有した保存容器と、を備え、前記スパウトの前記胴体は前記スパウト受け土台の内面に沿って配設され、前記スパウト受け土台と前記スパウト押さえにより前記第１リングを挟んで押圧することを特徴とする気密容器である。
【００１１】
（５）また、本発明は、前記スパウト押さえは、加圧部材と押さえ部材からなり、前記押さえ部材は、前記スパウト受け土台との間に前記第１リングを挟み、前記加圧部材は前記押さえ部材を前記スパウト受け土台に向けて押圧することを特徴とする（４）の気密容器である。
【発明の効果】
【００１２】
本発明の気密容器によって、消火剤を封入する消火器や、酸・溶剤等の貯蔵容器において、スパウトの接合された内部容器を用い、スパウト上部をスパウト押さえと外部容器との間に挟み込み押圧することができる。これにより気密性、密閉性、耐腐蝕性、耐圧性があり、洗浄に代えて容易に内部容器の交換が可能な容器を実現できる。
【図面の簡単な説明】
【００１３】
【図１】本発明の一実施形態における内部容器２の全体図である。
【図２】本発明の一実施形態における内部容器２のスパウト２１部分の上面図と切断部端面図である。
【図３】本発明の一実施形態における気密容器１の分解図である。
【図４】本発明の一実施形態における組み付け後の気密容器１の断面図である。
【図５】本発明の一実施形態における組み付け後の気密容器１のスパウト２１部分を拡大した断面図である。
【発明を実施するための形態】
【００１４】
本発明の一実施形態である気密容器１は、内容物として各種消火剤を充填する消火装置の消火剤タンクである。
【００１５】
図１は、本発明の一実施形態における内部容器２の全体図であり、取り付け前の内部容器２をスパウト２１が取り付けられている方向から見た図である。内部容器２は、長方形の袋２２における端部近傍に開口部２２１を設け、スパウト２１を接合したものであり、後述のタンク４に装入して使用する。
【００１６】
袋２２は、耐腐蝕性のフィルムから形成されているため内容物の侵蝕を受けず、劣化による穴があかない。また、フィルムは気密性、バリア性があり、内容物がタンク４内面に漏れ出さない。そのため、タンク４の内面に腐蝕等の変性を生じさせることがない。また、タンク４の内面が汚れることがないので、内部容器２を取り出して交換するだけでタンク４内面の洗浄に代えることができる。袋２２には柔軟性があるため、気密容器１にある程度の大きさの開口があれば、取り付けや取り外しの際に折りたたんで出し入れすることができる。また、袋２２は、膨らんだ際にタンク４内面よりやや大きくなるように作られる。このため、内容物の充填時にタンク４の内面と袋２２の間に隙間が生じない。内容物の充填時には袋２２に折り目や皺が発生するが、フィルムに柔軟性があるため破損しない。なお、袋２２の形状は長方形でなくてもよく、円筒形等でもよい。袋２２には内容物を出し入れするための開口部２２１があり、スパウト２１が接合されている。
【００１７】
スパウト２１は、中央が開口していて内部容器２への内容物の出入口となっている。また、スパウト２１があることで、後に説明するように開口を塞いだ際に容器の気密性を確保できる。さらに、スパウト２１は、内部容器２のタンク４内部への落下を防止する。そして、内容物を取り出した後には、スパウト２１を掴んで引き出すことで容易に内部容器２を取り外すことができる。
【００１８】
図２は、本発明の一実施形態における内部容器２のスパウト２１部分の上面図と切断部端面図である。スパウト２１は、エラストマー等の柔軟性・伸縮性のある樹脂やゴムを射出成型して作られており、気密性、耐腐蝕性があり、袋２２よりも厚さを有している。図２（ａ）は、図１のスパウト２１の部分を拡大した図である。また、図２（ｂ）は、図２（ａ）のスパウト２１及びその近傍の袋２２をＡ−Ａ線で切断して側方から見た切断部端面図である。
【００１９】
第１リング２１１は、内側に開口を囲む第１開口端２１２を有した厚さ１ｍｍの平板状のリングであり、スパウト２１の上部に設けられる。胴体２１３は筒型形状であり、第１リング２１１よりも薄い０．５ｍｍの厚さであり、伸縮性を有している。第２リング２１４は、スパウト２１の下部にある平板状のリングであり、０．５ｍｍの厚さを有し、内側に開口を囲む第２開口端２１５を有している。袋２２はフィルムにより形成され、開口部２２１を有している。
【００２０】
スパウト２１は、第１リング２１１の内側の第１開口端２１２に胴体２１３の一端が接続し、胴体２１３の他端で第２リング２１４の内側の第２開口端２１５に接続した構造を有している。そしてスパウト２１は、第２リング２１４の下面で、袋２２の開口部２２１の外縁の上面と密閉して接合している。第１リング２１１の内側、胴体２１３の内壁、第２リング２１４の内側からなるスパウト２１の開口は、袋２２の開口部２２１へと連通し、袋２２の内部につながっている。
【００２１】
袋２２とスパウト２１は、スパウト２１下端の平板な第２リング２１４によって平面で隙間なく接合されるので、接合部分に高い気密性と強度を持たせることができるとともに、内部容器２の製造が容易である。本実施形態では、ヒートシールによってスパウト２１の第２リング２１４を袋２２に接合している。また、タンク４の中へ装入するため、胴体２１３、第２リング２１４、袋２２はともに容易に変形するが、第１リング２１１は胴体２１３の厚さ以上の厚さを有するので、容易には湾曲しづらくリング形状を保ちやすい。
【００２２】
図３は、本発明の一実施形態における気密容器１の分解図である。図３は気密容器１の組付けを模式的に表している。気密容器１はタンク４、内部容器２、スパウト押さえ３から構成され、容器蓋部であるスパウト押さえ３は押さえ部材３１とカバーナット３２から構成される。
【００２３】
外部の保存容器であるタンク４は鉄製であり、気密性と耐圧性を持つ。上部にスパウト受け土台４１を有し、スパウト受け土台４１の中央は円筒状に開口していてタンク４の内部に連通している。そしてスパウト受け土台４１は、上端の外周に外ネジ４１１が設けられている。内部容器２は前述のように袋２２にスパウト２１を接合したものである。押さえ部材３１は円盤状であり、ステンレス等の耐腐蝕性のある金属で製造される。押さえ部材３１の中央にはサイホン管３１１を取り付けるための孔が設けられてサイホン管３１１が接続され、中央からはずれた位置には後述の加圧ガス注入口３１２が設けられている。押さえ部材３１の円周部分は上部が張り出してフランジ部３１４となっており、中央は肉厚部３１５となっている。フランジ部３１４には下側にＯリング３１３をはめ込むための溝が設けられている。加圧部材であるカバーナット３２は鉄製であり、内側に内ネジ３２１（図５にて図示）が設けられており上部外周が６角形のレンチ作用部３２２となっていて、中央が大きく開口している。レンチ作用部３２２と内ネジ３２１の間には、内方に突出して押部３２３が形成されている。
【００２４】
気密容器１の組付けは、通常以下の手順で行う。始めに内部容器２をタンク４に装入する。まず袋２２を、スパウト２１が遠い部分から、スパウト受け土台４１の開口を通じてタンク４の内部に装入する。そして、スパウト２１の第２リング２１４と胴体２１３を押圧して変形させ、スパウト受け土台４１の開口に押し込む。このとき、第１リング２１１が開口から中へ落下しないように注意しなければならないが、第１リング２１１はやや厚いため湾曲しにくく、開口には入りにくい。第１リング２１１をスパウト受け土台４１の外部受け面に設置すると、第２リング２１４と胴体２１３が広がってスパウト２１が元の形状に戻る。
次に、スパウト２１の開口を通して内部容器２内に内容物を充填する。そうすると、内容物による圧力で、袋２２がタンク４内で膨張してタンク４内面に押圧される。このとき、タンク４の上方に設けた開閉自在な空気抜き（図示せず）からタンク４内の空気が排出される。袋２２は、余ったフィルムが重なった状態でタンク４の内部を覆う。
【００２５】
次に、サイホン管３１１とＯリング３１３が取り付けられた押さえ部材３１を、タンク４に取り付ける。まずサイホン管３１１をスパウト２１の内側に装入し、その後に押さえ部材３１をスパウト２１の上面に被せる。そしてカバーナット３２を押さえ部材３１の上に被せ、内ネジ３２１（図５にて説明）とスパウト受け土台４１の外ネジ４１１により螺合し、レンチでレンチ作用部３２２を回転させて締め付ける。カバーナット３２とスパウト受け土台４１との締め付け圧力により、押部３２３に押された押さえ部材３１のフランジ部３１４が、スパウト２１の第１リング２１１を押圧する。第１リング２１１はある程度の厚みと柔軟性を有するため、締め付け圧力により変形してスパウト受け土台４１の外部受け面とＯリング３１３に密着する。第１リング２１１に加えＯリング３１３があることで気密性はさらに高まり、高い圧力にも耐える気密性を保持した気密容器１が実現する。その後は、押さえ部材３１の上部に、サイホン管３１１と加圧ガス注入口３１２に接続するホース等を取り付ける。
なお、上述のように内容物を充填してから押さえ部材３１をタンク４に取り付けるのではなく、押さえ部材３１をタンク４に取り付けてから、加圧ガス注入口３１２等を介して内容物を充填してもよい。
組付けた気密容器１を消火装置として使用する場合、加圧ガス注入口３１２から加圧ガスを注入し、各種の消火剤等の内容物をサイホン管３１１に流入させ、押さえ部材３１を通して内容物を外部へ圧出する。
【００２６】
スパウト押さえは単一部材でも良いが、本実施形態のスパウト押さえ３は押さえ部材３１とカバーナット３２の二つの部品に分離しているため、蓋部の螺合時にカバーナット３２だけが回転し、押さえ部材３１は回転しにくい。そのため、スパウト２１に回転方向の力がかかりにくく、回転によって第１リング２１１の上面に損傷が発生しにくい。また、サイホン管３１１や加圧ガス注入口３１２にホース等を接続した状態でスパウト押さえ３を取り付けても、押さえ部材３１が回転しないためにホースにねじれが生じにくい。さらに、内部容器２の中でサイホン管３１１が回転して袋２２を巻き込むのを回避できる。押さえ部材３１は任意の向きに固定できるため、加圧ガス注入口３１２に外部の部品を接続して消火装置等を構成する際に、加圧ガス注入口３１２を適切な位置に容易に配置できる。
また、カバーナット３２と分離しているため押さえ部材３１はコンパクトになり、サイホン管３１１の取り回しが容易になる。
【００２７】
図４は本発明の一実施形態における組み付け後の気密容器１の断面図である。
カバーナット３２はスパウト受け土台４１と螺合して接続している。押さえ部材３１は、スパウト２１の上に載置され、カバーナット３２の螺合によりスパウト受け土台４１の方向に押し付けられている。スパウト２１はスパウト受け土台４１の上部、内面、下部に沿ってはまっており、スパウト受け土台４１が内容物と接触しないように保護し、腐蝕等を防止している。スパウト２１には柔軟性があって厚さがあるため、内容物の充填の際にノズル等を差し込んでも、破損しづらい。
【００２８】
押さえ部材３１は、スパウト２１の図２に示した第１リング２１１を上面から押さえつけている。また、本実施形態ではタンク４内面の丸みを帯びた下端から内容物を取り込むため、押さえ部材３１に取り付けたサイホン管３１１はタンク４の中心を縦に通っている。カバーナット３２の内側の開口では押さえ部材３１の上面が露出し、サイホン管３１１や加圧ガス注入口３１２にホース等が取り付けできるようになっている。カバーナット３２は押さえ部材３１の脱落を防ぐと同時に、押さえ部材３１を押圧する加圧部材として機能し、第１リング２１１による気密容器１の密閉性を確保している。
【００２９】
図４は、装入した袋２２に内容物が充填されていない状態の気密容器１であり、袋２２とタンク４内面の間に隙間を有している。内容物の充填や加圧ガスの注入により袋２２は拡がり、タンク４の内面に押着され、またこのとき袋２２の余分なフィルムは重なる。内容物の充填時には、タンク４と袋２２の隙間に空気が残留するが、タンク４内面は腐蝕しない。タンク４の内側は全体が気密になっているため、外部物質による腐蝕から守られている上、袋２２に気密性やバリア性があるため、内容物による腐蝕も起こらない。
【００３０】
本発明の気密容器１には、二重の気密空間が内包されている。一つは、内部容器２の気密空間であり、もう一つは内部容器２を内部に有する気密容器１の気密空間である。内部容器２の気密空間は袋２２、スパウト２１、押さえ部材３１に囲まれた部分であり、耐腐蝕性があり、気密性・密閉性により、内部容器２の外のタンク４内や気密容器１外部に内容物が漏れない。また、耐圧性のあるタンク４に囲まれているため、柔軟な内部容器２を破損させずに内圧を高めることができる。
【００３１】
気密容器１の気密空間は、タンク４、第１リング２１１、押さえ部材３１に囲まれた部分であり、気密性・密閉性により外部との物質の出入りがなく、耐圧性を備える。タンク４、押さえ部材３１のそれぞれには耐圧性があり、しかも押さえ部材３１が第１リング２１１を挟んでタンク４のスパウト受け土台４１に押し付けられシールされているため圧力が逃げない。なお、内部容器２の気密空間も、気密容器１の気密空間も、ともに第１リング２１１が押圧されることによって密閉されている。
【００３２】
図５は本発明の一実施形態における組み付け後の気密容器１のスパウト２１部分を拡大した断面図であり、図４の上部を拡大したものである。図５には、内部容器２であるスパウト２１と袋２２のほか、タンク４と、その口部であるスパウト受け土台４１、及びスパウト押さえ３を構成する押さえ部材３１とカバーナット３２が示されている。気密容器１は、カバーナット３２の内周の下部に設けられた内ネジ３２１とスパウト受け土台４１の外周上部の外ネジ４１１との螺合により、フランジ部３１４、第１リング２１１が挟み込まれて押圧されることにより密封されている。
【００３３】
組み付け後の気密容器１では、第１リング２１１は、スパウト受け土台４１の外部受け面に乗っている。第１リング２１１は、スパウト押さえ３を取り付けていない状態では内部容器２の落下止めの役割を果たしている。内部容器２取り付けの際や内容物の充填によりスパウト２１が下方に引かれた際に、スパウト２１がはずれないように第１リング２１１で支える。また、蓋部を取り付けた状態では、第１リング２１１は図５のようにスパウト受け土台４１と押さえ部材３１に挟まれて圧縮され、シール材として機能する。第１リング２１１は押圧されることにより、スパウト受け土台４１の外部受け面や押さえ部材３１のフランジ部３１４下部の押さえ面との隙間を埋めて密着し、タンク４の内部と内部容器２を密閉することができる。
【００３４】
スパウト２１の胴体２１３は、スパウト受け土台４１の円柱状の内面を覆うように配設されており、内部容器２内の圧力が高くなった際には膨張し、スパウト受け土台４１の内面に密着する。胴体２１３は柔軟性を有しており膨張するので、割れや孔などが生じない。本実施形態では、胴体２１３は、膨張のための柔軟性を確保するために第１リング２１１よりも薄く形成される。
【００３５】
押さえ部材３１は、下面が直接内容物に触れるため耐腐蝕性のステンレス等により製造する。一方、タンク４は内容物に触れることがないため、耐腐蝕性のステンレス等で製造する必要がなく、通常の鉄製でよい。押さえ部材３１は、肉厚部３１５を有しているため耐圧性が高い。かつ、肉厚部３１５の外径と、第1リング２１１及び胴体２１３の内径との差は僅かであるため、肉厚部３１５がスパウト２１の第1リング２１１及び胴体２１３の内側に挿入された際に押さえ部材３１が揺動せず安定する。サイホン管３１１と加圧ガス注入口３１２は、図４に記載するように押さえ部材３１においてスパウト２１の開口の内側に位置する。
【００３６】
内容物を取り出した後には、内部容器２は容易に取り外して交換できる。まずカバーナット３２によるネジ止めを外して、押さえ部材３１を外し、次にスパウト２１の胴体２１３、第２リング２１４を引き出す。このとき、第１リング２１１の外側を部分的に持ち上げるようにして胴体２１３と共に変形させ、スパウト２１を引き出すようにすれば、作業者は内容物にほとんど触れずに内部容器２を引き出すことが可能である。第１リング２１１はある程度は変形しにくいが、力を加えれば変形する。その後、タンク４内を洗浄することなく新たな内部容器２を装入して、タンク４を再利用できる。また交換の際、内部容器２の内部に内容物が多少残留していても、他の器材を汚さずに取り出して廃棄できる。
【００３７】
本発明によれば、第１リング２１１がリング形状を保ったままスパウト受け土台４１の外部受け面に乗るため、組み付けや取り外しの際にも内部容器２がタンク４内に落下することがない。さらに内容物を出した後に、タンク４からスパウト２１を持って引き抜くことで、使用済みの内部容器２を取り外すことができ、新しい内部容器２に容易に交換することができる。このときタンク４の内面を洗浄する必要がない。また、内部容器２と気密容器１の二重の気密空間となっているため、内容物を十分に気密に密閉できるとともに、耐圧性のタンク４に囲まれているため、内部容器２を内側から加圧しても内部容器２が破損しない。また、タンク４内面が内容物にも外部物質にも触れないため腐蝕しない。
【００３８】
＜変形例＞
【００３９】
スパウトには第２リング２１４がなくてもよい。スパウトは一体成形であることが好ましいが、強固に接続されれば胴体とリング等、パーツを接着等により一体化したものでも良い。袋とスパウトの一体成型等により内部容器を製造する場合には、第２リング２１４がない。袋へスパウトを接合する場合は実施形態のヒートシールに限らず、接着剤を用いるなど他の接合方法でもよい。スパウトは保存容器の内部形状や袋の形状により適切な位置で袋に取り付けることができ、取り付け位置は図１のような位置でなくてもよい。超高圧のタンク等に用いる場合には、スパウトを銅等により形成してもよい。金属であっても銅等は柔軟性を有し、内容物によっては耐腐蝕性を有する。また、タンク４の空気抜きは必要に応じて設ければ良く、なくても良い。
本願の実施形態において、スパウト２１の第１リング２１１を胴体２１３と第２リング２１４よりも厚手のものとして、胴体２１３と第２リング２１４では膨張し易く、第１リング２１１ではシーリング性能を高くした。しかし、第１リングと胴体を１ｍｍ、第２リングを０．５ｍｍというように、第２リングだけ薄くしてスパウト受け土台４１と第２リングとの密着性を高めてもよい。さらに、第１リングと第２リングを１ｍｍ、胴体を０．５ｍｍとしたり、第１リングを１ｍｍ、胴体を０．５ｍｍ、第２リングを１．５ｍｍとしたりするように、スパウト受け土台４１と胴体の密着性を高めてもよい。第１リングと胴体を１ｍｍ、第２リングを１．５ｍｍというようにしてもよい。第２リングがない場合も含めて、第１リングの厚さは胴体の厚さ以上であることが好ましい。しかし、タンク等の形状や圧力等によっては、第１リングの厚さを胴体の厚さより薄くすることもありうる。
【００４０】
気密容器を貯蔵のみの用途で使用する場合は、スパウト押さえには、サイホン管３１１、加圧ガス注入口３１２がない蓋としてもよく、蓋である押さえ部材に内容物の出し入れ口を付けてもよい。スパウト押さえは、押さえ部材３１とカバーナット３２に分かれておらず、一体であってもよい。この場合、スパウト押さえの取り付け・取り外しは簡略化され容易になる。
【００４１】
スパウト２１の着脱を簡便に行うために、タンク４に閉鎖可能な開口を設けてもよい。開口から空気が出入りすることにより、袋２２が着脱し易くなる。開口を十分な大きさとすれば、手などを挿入して袋２２の形状を整えることもできる。また、第２のスパウト受け土台の開口を設け、第２のスパウト受け土台４１に対応して内部容器２に第２のスパウト２１を設けてもよい。スパウト受け土台４１はタンク４の上方に加えて下方にあっても良いし、下方だけにあっても良い。スパウト受け土台４１とスパウト２１をタンク４の下方に設けた場合、内容物を自重により取り出すことができる。スパウト受け土台４１とスパウト２１は３つ以上でも良く、一つのタンク４の中にスパウト２１を有した内部容器２を複数設置しても良い。
Ｏリング３１３は柔軟性のある樹脂やゴムによる緩衝材であるが、金属等によって製作してもよい。図５にはドーナツ状の細いリングとして示しているが、平板状のリング等でもよい。また、Ｏリング３１３とＯリング３１３取り付け用の溝を省略し、押さえ部材のみの構造としてもよい。このとき押さえ部材のスパウト２１との接触面に凸部を設けて面圧を大きくし、シール性を向上させてもよいし、同様に第１リング２１１の押さえ部材との接触面に凸部を設けて面圧を大きくして、シール性を向上してもよい。
【００４２】
スパウト押さえは、使用圧力に対する耐圧性と、内容物に対する耐腐食性を有していれば、素材はステンレス等の耐腐蝕性金属に限らず、樹脂やセラミックス、木材等でも良い。
またスパウト押さえは、螺合による押圧ではなく、カムロック式による押圧でもよい。この場合、実施形態のスパウト押さえ３に相当するカムロック式のスパウト押さえにより、第１リングを上から押圧して密閉する。これにより実施形態と同様に、気密容器内に、スパウト押さえ、第１リング、内部容器の気密空間と、スパウト押さえ、第１リング、タンクの気密空間の二重の気密空間を作ることができる。カムロック式ではスパウト押さえを全く回転させずに容器を密閉することができる。
またスパウト押さえによる蓋としては、クラウンキャップ式による軽程度の押圧でもよいし、スナップフィット等スパウト２１にあまり圧力をかけない方式で容器を密閉してもよい。これらの場合は、食品の輸送や保存等の耐圧性の必要が無い用途で気密性を確保できる。
【００４３】
外部の保存容器は実施形態のタンク４のような耐圧容器でなくてもよいし、気密性がなくてもよいが、金属製容器や硬質樹脂製容器のように形状を保てる容器であることが好ましい。典型的には鉄製のタンクのほかにドラム缶や一斗缶、ポリタンクなどが考えられる。ドラム缶等の既存の保管用容器を用いる場合は、口金に合わせた形状のスパウトを使用してもよいし、口金に取り付け可能な形状のスパウト受け土台を使用してもよい。酸や溶剤、ペンキ、粉粒体などを長期間保管する際は、容器には耐圧性よりも耐腐蝕性が求められるが、本発明で非耐圧の気密容器を使用した場合でも、二重の気密空間により高い密閉性を備えているため、外部の容器の内面が保護され、腐蝕しない。またこの場合でも洗浄に変えて内部容器を交換することが可能である。
【００４４】
本発明で外部の容器に気密性の容器を使用しない場合は、気密空間は内部容器内のみとなる。外部の容器が気密容器でなくても内部容器の高い密閉性により、内容物の劣化や漏れ出し、外部物質の侵入を防ぐことができ、内部容器の交換も容易である。この場合、外部の容器としては、例えば籠状の容器等を使用することができる。
【００４５】
袋２２をタンク４に挿入した後、内容物を充填する前に、押さえ部材３１をタンク４に取り付けてから加圧ガス注入口３１２等を介して加圧ガスを注入し、袋２２を予め膨らませてタンク４内部を覆ってから内容物を充填してもよい。この場合、内容物の荷重による力が袋２２にかかりにくく、またタンク４内部に袋２２が上部まで密着した状態で充填が行われるため、内容物の充填容量を最大化できる。
また、加圧ガス注入口をスパウト押さえ３ではなく袋２２を覆うタンク部分に設け、内容物の圧出の際にはタンクと袋２２の間を加圧して袋２２を圧縮するようにしてもよい。このとき、サイホン管３１１は無くてもよく、また袋２２が内容物とともに圧出されないようにサイホン管３１１の代わりに枠状や網状の構造物を備えてもよい。
【符号の説明】
【００４６】
１  気密容器、２  内部容器、２１  スパウト、２１１  第１リング、２１２  第１開口端、２１３  胴体、２１４  第２リング、２１５  第２開口端、２２  袋、２２１  開口部、３  スパウト押さえ、３１  押さえ部材、３１１  サイホン管、３１２  加圧ガス注入口、３１３  Ｏリング、３１４  フランジ部、３１５  肉厚部、３２  カバーナット、３２１  内ネジ、３２２  レンチ作用部、３２３  押部、４  タンク、４１  スパウト受け土台、４１１  外ネジ
【図１】
2019218061.tif 000003
【図２】
2019218061.tif 000004
【図３】
2019218061.tif 000005
【図４】
2019218061.tif 000006
【図５】
2019218061.tif 000007